(57)【要約】【課題】それ程熟練を要さずにインプラント窩よりも小さいインプラント前窩を形成することができること、そして、このインプラント前窩形成時には患者に殆ど負担を掛けることがなく、しかもインプラント前窩が存在することによって次の段階のインプラント窩の形成が安全で簡単に行え、結果としてインプラント技術をさらに発展させて、インプラント埋入を諦めていた歯科医や患者にもインプラント技術適用の機会を与えることができる補助具を提供すること。【解決手段】インプラントが埋入されるインプラント窩を形成するために、これより小さいインプラント前窩を形成する補助具１０であって、この補助具１０を、直径が０．３ｍｍ〜１．４ｍｍの範囲となる複数の前窩形成針１１ａ〜１１ｅによって構成したこと。【選択図】図１
2007313285.tif 000002
【特許請求の範囲】
【請求項１】
インプラントが埋入されるインプラント窩を形成するために、これより小さいインプラント前窩を形成する補助具であって、
この補助具を、直径が０．３ｍｍ〜１．４ｍｍの範囲となる複数の前窩形成針によって構成したことを特徴とするインプラント前窩形成用の補助具。
【請求項２】
前記各前窩形成針の先端を、円錐型、砲弾型、尖頭型、階段型、またはスクリュー型にすることによって尖らせたことを特徴とする請求項１に記載のインプラント前窩形成用の補助具。
【請求項３】
前記各前窩形成針の本体部に、滑り止め若しくは回り止めを形成したことを特徴とする請求項１または請求項２に記載のインプラント前窩形成用の補助具。
【発明の詳細な説明】
【技術分野】
【０００１】
本発明は、インプラントが埋入されるインプラント窩を形成するために、これより小さいインプラント前窩を形成するための補助具に関するものである。
【背景技術】
【０００２】
歯を失ったときに、人工の歯根を顎骨に埋入して咀嚼や審美性の回復を図るインプラント治療がある。インプラント治療は、フィクスチャーと呼ばれるチタン製のスクリュータイプやコーンタイプのものを骨内に埋入して行われる。このフィクスチャーを埋入するための埋入窩の形成は、一般にドリルや例えば図１２に示すようなオステオトームを使用して行われる。
【０００３】
このようなドリルやオステオトームを使用するインプラント窩の形成の従来技術としては、例えば特許文献１や特許文献２に見られる。
【特許文献１】特開２００３−５２７２１号公報、要約、代表図等
【特許文献２】特開２００６−６１３７７号公報、要約、代表図等
【発明の開示】
【発明が解決しようとする課題】
【０００４】
特許文献１には、「従来の口腔インプラント治療に用いるの骨のみは、基本的には上顎骨インプラント手術用に開発されたものであり、下顎骨の治療に当たっては危険性がある。下顎骨の治療にも安全に使える骨のみを開発すること」を目的とした「口腔インプラント治療用骨のみ」が提案されている。
【０００５】
この特許文献１に示された「口腔インプラント治療用骨のみ」は、図１３にも示したように、「骨のみの棒状の作業端部以下の部分を屈曲させ、該屈曲背部に槌打用の窪みを設けた口腔インプラント治療用骨のみ」といった構成を有するものであるが、当該特許文献１の段落００１７に記載されているように、「ハンドルと作業端が大きく屈曲しているので、上顎が邪魔になることなく作業が可能である。また、下顎骨は硬い骨質であるので、骨のみの先端は尖ったものが望ましい。さらに、強い槌打を行う際に、屈曲背面部に設けた窪みにより、槌打がずれることなく安全な作業が可能となる」ものである。
【０００６】
つまり、この特許文献１の骨のみは、図１３に示すように、「強い槌打を行う」ものであり、そのために、「屈曲背部に槌打用の窪みを設けた」ものである。そして、この特許文献１に記載された術式によると、
a）適応症は骨頂から洞床底までの垂直骨量が5mm以上必要である。そして洞床底の挙上可能範囲は4mm以内を目標とすべきである。
b）最初に使用する骨のみは径1.6〜2.0mmで、洞床骨を1〜2mm残すところまで槌打する。
c）順次、骨のみの直径を太くする。
d）移植骨片の適量を挿填し、軽く槌打を繰り返し、圧縮、挙上する。
e）所定の位置（深さ）まで深度目盛りを見ながら槌打して、洞床底を押しあげる。
f）上顎にインプラントする場合は、径4mm以上の太めのインプラント体が望ましい。4mm
のインプラントを植立するときは初期固定をしっかりさせるために、骨のみの直径を小さめの径3.3〜3.8mmに止め、そして径4mmのインプラント体を槌打植立する。
ものである。
【０００７】
この特許文献１の治療方式の利点は、
１）上顎の素粗な骨に対し、骨ドリルを使うことなく、インプラント窩を形成することができる。
２）サイナスリフトの場合、限られた骨のみと器具ですむ。
３）骨を削除しない。
４）骨の圧縮（側圧）・緻密化、改造、拡大・拡幅が可能である。
５）骨へのダメージが少ない。
６）安全で操作が簡単。
であると考えられる。
【０００８】
しかしながら、この特許文献１の技術では、あくまでも「槌打」を条件にしていることから、患者への負担は、後述するような理由によって、非常に大きいと考えられる。また、この特許文献１の技術では、最初に使用する骨のみの径が１．６〜２．０ｍｍであるということは、インプラントを埋入すべき骨が柔らかいことや、骨にある程度の厚さがあることを前提としており、硬い骨に対しては適用が困難であると考えられるだけでなく、最初の穴開けに際して、顎骨や神経、あるいは血管に多大な悪影響を与えることが十分あり得るとも考えられる。
【０００９】
ところで、特許文献２には、「精度良くフィクスチャー用の埋入窩を形成することが可能なインプラント用埋入窩形成治具を提供する」ことを目的とした「インプラント用埋入窩形成治具」が記載されている。この特許文献２の「インプラント用埋入窩形成治具」は、図１４にも示すように、「先端部に円筒形状の小径部２及び小径部２より大径の大径部３が連続した形状を有するフィクスチャー１を取り付けるための埋入窩１２を、顎骨１３に形成するための二種類以上のオステオトームから構成されるインプラント用埋入窩形成治具」である。
【００１０】
そして、この特許文献２の「インプラント用埋入窩形成治具」では、最後に使用される第４のオステオトーム７の先端部形状は、上記小径部２と同径若しくは略同径の円筒状からなる第１形状部８、および上記大径部３と同一形状の第２形状部９が、先端部から遠位に向けて連続した形状となっている。一つ前に使用する第３のオステオトーム６の先端部形状は、上記小径部２と同径若しくは略同径の円筒形状であって上記第１形状部８よりも軸方向長さが長い」ものとしたものである。
【００１１】
しかしながら、この特許文献２の技術も、当該特許文献の段落００１７に記載されているように、「まず、第１のオステオトーム４を骨１３に打ち込んで小径の埋入窩１２を形成する。続いて、第２のオステオトーム５を打ち込んで埋入窩１２を拡径する。次に、第３のオステオトーム６を打ち込んで埋入窩１２を一旦、円筒形状に成形する」というものであるから、「打ち込む」という作業によって、患者に非常に負担が掛かるものとなっている。また、本特許文献２で最初に使用する骨のみは、径２．１ｍｍ程度であるから、最初の穴開けに際して、顎骨や神経、あるいは血管に多大な悪影響を与えるとも考えられる。
【００１２】
つまり、以上の特許文献１においても、特許文献２においても、その基本とするところは、インプラント窩を形成するにあたって、細いものから順に太くなる「骨のみ」を使用するのであるが、その操作は「槌打」あるいは「打ち込み」であるため、その衝撃が患者の顎骨や体に大きく影響を与えることは十分考えられる。
【００１３】
特に、最初の一番細いものでも、直径が、１．６ｍｍ（特許文献１）〜２．１ｍｍ（特許文献２）であるということは、インプラントを埋入すべき骨が柔らかいことやドリルを使用することを前提としており、硬い骨や厚さの薄い骨に対しては適用が困難であると考えられるだけでなく、施術時の患者に対して、肉体的にも精神的にも大きな負担を掛けるものと考えられる。
【００１４】
一般に、顎骨内や近傍には神経が通っており、当然血管も存在しているが、これらの神経や血管は、存在する位置が患者の体質によって異なり、顎骨の厚さも人様々である。インプラント技術は、歯を無くした人への治療技術として非常に優れたものであっても、これを施術する歯科医は非常に少ない（本格的に取り組んでいる歯科医は３％程度と言われている）現状にあるが、その最大の原因は、非常に難しい技術であるからである。
【００１５】
このインプラント技術を難しくしているのは、上述した神経や血管が顎骨の内外に密集しており、これを一旦傷付けると、患者に大きな痛みを感じさせてしまうだけでなく、手術後マヒが発生して回復しにくいことがある。本発明者の検討によれば、このような事故になる最大の原因は、特許文献１や２の従来技術では、最初の一番細いものですら、直径が、１．６ｍｍ（特許文献１）〜２．１ｍｍ（特許文献２）もあることであることが解った。つまり、これだけの太さの「骨のみ」を使用すれば、余程熟練した人でないと神経や血管に大きな傷を付けてしまうのであり、まして「槌打」や「打ち込み」のように最初から大きな力を加えれば、神経や血管に傷を付けるだけでは済まず、顎骨の「骨折」や「離断」を発生させてしまいかねないのである。
【００１６】
さらに、インプラントを埋入するためのインプラント窩を形成する、上記のような従来の技術では、歯根を包み込んでいた骨の、唇側及び口蓋側、あるいは舌側歯頸部付近のそれぞれの厚さが１ｍｍ以上であることが条件となっている。何故なら、インプラント体埋入後にインプラント体周囲にある程度（１ｍｍ以上）の厚味を有する骨が存在すれば、咬合圧に耐えるだけでなく、歯周病菌にも犯されにくいからである。このため、歯が抜けて長年経った人では骨が痩せ細ってインプラント窩を形成するに十分な骨がなく、勿論インプラントを確実に支える骨も少ないことから、「インプラント技術」を諦めざるを得ない実情にある。
【００１７】
そこで、本発明者等は、それ程熟練を要せず、患者にも負担を掛けないようにインプラント技術を発展させるにはどうしたらよいか、そして、今までであればインプラント埋入を諦めていた人もインプラント技術の恩恵に与ることができるようにするにはどうしたらよいか、について種々検討を重ねてきた結果、いきなりインプラント窩を形成するのではなく、その前段階としてのインプラント前窩を形成するようにすればよいことに気付き、本発明を完成したのである。
【００１８】
すなわち、本発明の目的とするところは、それ程熟練を要さずにインプラント窩よりも小さいインプラント前窩を形成することができること、そして、このインプラント前窩形成時には患者に殆ど負担を掛けることがなく、しかもインプラント前窩が存在することによって次の段階のインプラント窩の形成が安全で簡単に行え、結果としてインプラント技術をさらに発展させて、インプラント埋入を諦めていた歯科医や患者にもインプラント技術適用の機会を与えることができる補助具を提供することにある。
【課題を解決するための手段】
【００１９】
以上の課題を解決するために、まず、請求項１に係る発明の採った手段は、後述する最良形態の説明中で使用する符号を付して説明すると、
「インプラントが埋入されるインプラント窩を形成するために、これより小さいインプラント前窩を形成する補助具１０であって、
この補助具１０を、直径が０．３ｍｍ〜１．４ｍｍの範囲となる複数の前窩形成針１１ａ〜１１ｅによって構成したことを特徴とするインプラント前窩形成用の補助具１０」
である。
【００２０】
すなわち、この請求項１の発明は、インプラントが埋入されるインプラント窩を直接形成するのではなく、インプラント窩となるべきインプラント前窩をインプラント窩より小さなものとして形成する補助具１０に関するものである。そして、この補助具１０は、図１に示すように、特にその針部１３の直径が０．３ｍｍ〜１．４ｍｍの範囲となる複数のものからなるものであり、これらを一番細い第１前窩形成針１１ａから一番太い第５前窩形成針１１ｅといったように使用していき、最終的に、目的としているインプラント窩を形成するためのインプラント前窩を形成するものである。
【００２１】
この補助具１０では、その針部１３の直径が０．３ｍｍ〜１．４ｍｍの範囲となるようにする必要があるが、その理由は、まず針部１３の直径が最小径である０．３ｍｍより小さいと、インプラント前窩の形成が困難になるだけでなく、場合によっては、骨内でこの針部１３が折れてしまう可能性が高くなるからである。また、針部１３の直径が最大径である１．４ｍｍより大きいと、厚さの薄い顎堤や固い骨に対しての施術が困難になり、インプラント前窩の形成時に、患者に精神的かつ肉体的な負担を大きく掛けることになるからである。
【００２２】
また、補助具１０を構成している各第１前窩形成針１１ａ〜第５前窩形成針１１ｅは、非常に細いものであるため、その各本体部１４を指で摘んで回転させながら揉み込むことを基本とするものである。つまり、図１に示す補助軸１７やリーマーを使用したり、あるいは後述する超音波やレーザー光の物理的力を利用することはあり得るが、これらの第１前窩形成針１１ａ〜第５前窩形成針１１ｅは、「手揉み」を基本として使用されるものであり、「槌打ち形式」や「打ち込み形式」のものに比して、衝撃が少ない状態でインプラント前窩が形成できるものである。
【００２３】
この補助具１０を使用するには、まず、図４に示すように、顎骨を包み込んでいる粘膜上から、あるいは粘膜弁を作った後にロングネックラウンドバーを当てて、顎骨の表面である皮質骨に、各第１前窩形成針１１ａ等を通すための小さな穴を開ける。このとき、この穴の形成位置を確定するために、図１０に示すようなガイド２０を使用してもよい。
【００２４】
次に、図５に示すように、一般的なリーマーで、皮質骨のさらに内側にある海綿骨に、第１前窩形成針１１ａ等の先端を入りやすくする穴を形成する。以上の段階まででは、海綿骨に割れや欠けを生じさせないことは勿論、神経や血管はもっと奥にあるためこれらに傷が付けられることはない。
【００２５】
そして、本発明に係る補助具１０の出番となる。まず、皮質骨及び海綿骨の表面近傍に形成された穴を通して第１前窩形成針１１ａを揉み込みながら海綿骨内に挿入していくのである。この第１前窩形成針１１ａは、その針部１３の直径が０．３ｍｍであるため、粘膜や顎骨に付ける傷は非常に小さく、患者に傷みを感じさせたり大量に出血させたりすることがないだけでなく、その０．３ｍｍという直径によって海綿骨を当該第１前窩形成針１１ａの周囲に無理なく押しのけて緻密な骨とすることになる。
【００２６】
特に、この第１前窩形成針１１ａは、その針部１３の直径が０．３ｍｍであって揉み込みながら使用されるため、仮にその先に血管や神経があったとしても、これらを避けることができるのであり、傷を付けたとしてもそれは非常に小さいものである。そして、傷付けられた血管や神経は、針部１３の直径が０．３ｍｍであって非常に小さいものであったから、その治りが早いだけでなく、海綿骨を当該第１前窩形成針１１ａの周囲に押しのけて緻密にすることも、海綿骨に悪影響を殆ど与えることなく無事なされるのである。
【００２７】
また、この第１前窩形成針１１ａによる施術時において、例えばその先に「上顎洞」があって施術すべき骨の高さが低かったり、骨の厚さが薄い場合でも、インプラント前窩の形成は、この状態の骨や上顎洞内の粘膜に悪影響を与えることなく行える。何故なら、この第１前窩形成針１１ａによる前窩形成は、これを揉み込むことによって行うのであり、「槌打」や「打ち込み」といった衝撃が加わる方法によっては行わず、しかも非常に細いものを使用しているからである。このことは、次の段階の前窩形成針１１ｂ等においても同様であり、特にインプラント埋入を諦めていた骨の薄いあるいは細い人にも適用できることを意味している。
【００２８】
この第１前窩形成針１１ａの進行によって、次の第２前窩形成針１１ｂの進行がし易くなる穴が形成されるが、この穴の深さは、熟練者であれば指先で感ずる針部１３の侵入量で、また非熟練者であれば第１前窩形成針１１ａの針部１３に形成してある目盛りによって簡単に把握できることはいうまでもない。
【００２９】
次に、第１前窩形成針１１ａに代えて第２前窩形成針１１ｂを使用するには、上述した第１前窩形成針１１ａの場合と同様に行えばよい。このときには、図６にも示したように、第１前窩形成針１１ａによって言わば「道」が形成されているから、比較的スムーズに第２前窩形成針１１ｂの侵入はなされる。勿論、この第２前窩形成針１１ｂによる血管、神経及び海綿骨に与えられる悪影響は、既に第１前窩形成針１１ａによる道ができていることから何もないのである。
【００３０】
以上のことを、最終的な第５前窩形成針１１ｅまで実施することにより、図７の左側に示すようなインプラント前窩が完成する。後述する最良形態の補助具１０では、第１前窩形成針１１ａ〜第５前窩形成針１１ｅの５段階の前窩形成針を使用しているが、これらの段階の内、中間を省略することは可能である。どの段階を省略するかは、患者の年齢や顎骨の状態を見て、施術する歯科医が自由に決めてよい。
【００３１】
以上のようにしてインプラント前窩が完成すれば、図７の右側に示すように、特許文献１や２に記載されているような一般的なオステオトームを使用して、インプラントの埋入に応じた内径のインプラント窩を形成すればよいのである。なお、形成されたインプラント窩については、図８に示すように、このインプラント窩内にドリルを挿入し、これでインプラントにあった形状にインプラント窩内を整え、図９に示すように、インプラント体を埋入すれば完了となるのである。
【００３２】
また、骨の細いあるいは薄い人でも、いままでのインプラント窩形成技術では骨が不足して不可能であったのであるが、本発明の補助具１０を使用すれば薄い骨に対してもインプラント前窩を形成することが容易であるだけでなく、このインプラント前窩を形成する際に細い骨が周囲に広げられるから、このインプラント前窩を利用することにより、後にインプラント窩を形成することが可能になる。つまり、今までであればインプラント埋入を諦めていた人でも、このインプラント技術の恩恵に浴することができるのである。
【００３３】
なお、第１前窩形成針１１ａのように、針部１３が非常に細いものについては、使い捨てにするのがよいようである。針部１３が細いと、洗浄等の取り扱い時や使用状況によっては変形してしまう可能性が高いからである。
【００３４】
また、補助具１０を構成している各第１前窩形成針１１ａ〜第５前窩形成針１１ｅは、その各本体部１４を指で摘んで回転させながら揉み込むことを使用の基本とするものであったが、これに加えて、後述する超音波やレーザー光の物理的力を利用するとよい。これらの物理的力は、強度の設定あるいは調整が機械的に簡単に行えるものであり、「手揉み」だけだと経験が必要になるが、これらの物理的力を借りれば、「槌打ち形式」や「打ち込み形式」のものに比しても、衝撃が少ない状態で容易にインプラント前窩が形成できるものである。
【００３５】
以上の結果、この請求項１に係る補助具１０は、それ程熟練を要さずにインプラント窩よりも小さいインプラント前窩を形成することができて、このインプラント前窩形成時には患者に殆ど負担を掛けることがないのである。そして、このようなインプラント前窩に対して、オステオトーム等を使用する次の段階のインプラント窩を形成すれば、このインプラント窩の形成が安全で簡単に行えるのである。
【００３６】
従って、この請求項１に係る補助具１０は、それ程熟練を要さずにインプラント窩よりも小さいインプラント前窩を形成することができ、このインプラント前窩形成時には患者に殆ど負担を掛けることがなく、しかもインプラント前窩が存在することによって次の段階のインプラント窩の形成が安全で簡単に行え、結果としてインプラント技術をさらに発展させることができて、インプラントを諦めていた骨の細い人がインプラント技術の恩恵に浴することも可能にするものとなっているのである。
【００３７】
また、上記課題を解決するために、請求項２に係る発明の採った手段は、上記請求項１のそれについて、
「各前窩形成針１１ａ〜１１ｅの先端１２を、円錐型、砲弾型、尖頭型、階段型、またはスクリュー型にすることによって尖らせたこと」
である。
【００３８】
すなわち、この請求項２に係る補助具１０では、図２に示すように、各前窩形成針１１ａ〜１１ｅの先端１２を、円錐型、砲弾型、尖頭型、階段型、またはスクリュー型にすることによって尖らせたのである。
【００３９】
図２の（１）は先端１２を円錐型に尖らせた例を示し、図２の（２）は先端１２を砲弾型に尖らせた例を示している。また、図２の（３）は先端１２を尖頭型に尖らせた例を示しているが、「尖頭」とは頭部が尖った「ローソクの炎が延びた」ような形状を意味しており、図２の（１）や（２）の場合よりより一層尖ったものとしたものである。その他にも、先端部分に窪みを持たせた先端１２とすることも可能である。
【００４０】
なお、図２の（２）に示した前窩形成針１１ａ〜１１ｅについては、その先端部分の半分を削り取って平面的な部分を作り出し、この平面的な部分の側端に位置する鋭角部分で、骨の削り取りが容易になるように実施してもよいものである。
【００４１】
また、図２の（４）は先端１２を階段型に尖らせた例を示し、図２の（５）は先端１２を階段型に尖らせて、かつ各階段が丸みを帯びたものにした例を示している。これらの場合には、その先端によって海綿骨の緻密度を、側方のみならず上方（先の方向）に対してもより高めることができるからである。さらに、図２の（６）は先端１２をスクリュー型に尖らせた例を示しているが、この場合には、「揉み込み」操作をより一層確実になし得ると考えられる。
【００４２】
以上、いずれの場合も、補助具１０を構成しているインプラント前窩等の各形成針の先端１２を尖らせたのであるから、各第１前窩形成針１１ａ等の揉み込みにより海綿骨内への侵入を確実に行えることになり、インプラント前窩の形成をより確実にするものである。
【００４３】
従って、この請求項２の補助具１０では、上記請求項１のそれと同様な機能を発揮する他、揉み込み作業をより確実に行えるものとなっている。
【００４４】
さらに、上記課題を解決するために、請求項３に係る発明の採った手段は、上記請求項１または請求項２の補助具１０について、
「各前窩形成針１１ａ〜１１ｅの本体部１４に、滑り止め１５若しくは回り止め１６を形成したこと」
である。
【００４５】
すなわち、この請求項３の補助具１０では、図２の（１）に示すように、各前窩形成針１１ａ〜１１ｅの本体部１４に滑り止め１５を形成するか、図２の（２）に示すように、各前窩形成針１１ａ〜１１ｅの本体部１４に回り止め１６を形成したのである。
【００４６】
補助具１０を構成している第１前窩形成針１１ａ等は、基本的にはこれらの本体部１４を手指で掴んで回して使用するものであるため、その操作がし易くなくてはならない。その点、図２の（１）に示すような滑り止め１５があれば、その「揉み込み操作」が確実になり、また、図２の（２）に示すような回り止め１６があれば、これによって補助軸１７に差し込んだときの回り止めが確実になって、補助軸１７を回転させたときの揉み込みを確実にすることができるのである。
【００４７】
従って、この請求項３の補助具１０によれば、上記請求項１または請求項２のそれと同様な機能を発揮する他、揉み込み操作を確実に行えるものとなっているのである。
【発明の効果】
【００４８】
以上説明した通り、本発明においては、
「インプラントが埋入されるインプラント窩を形成するために、これより小さいインプラント前窩を形成する補助具１０であって、
この補助具１０を、直径が０．３ｍｍ〜１．４ｍｍの範囲となる複数の前窩形成針１１ａ〜１１ｅによって構成したこと」
にその構成上の主たる特徴があり、これにより、それ程熟練を要さずにインプラント窩よりも小さいインプラント前窩を形成することができ、しかもこのインプラント前窩形成時には患者に殆ど負担を掛けることがなく、インプラント技術をさらに発展させることができる補助具１０を提供することができるのである。
【００４９】
また、この補助具１０は、超音波やレーザー光の物理的力を利用することが簡単に行えるものであり、図１１に示したような振動発生装置３０に簡単に組み付けることができる。つまり、この振動発生装置３０からの物理的力あるいは振動を借りれば、本発明に係る補助具１０は、「槌打ち形式」や「打ち込み形式」のものに比しても、衝撃が少ない状態で容易にインプラント前窩が形成できるのである。
【００５０】
以上の結果、この請求項１に係る補助具１０は、それ程熟練を要さずにインプラント窩よりも小さいインプラント前窩を形成することができて、このインプラント前窩形成時には患者に殆ど負担を掛けることがないのである。そして、このようなインプラント前窩に対して、オステオトーム等を使用する次の段階のインプラント窩を形成すれば、このインプラント窩の形成が安全で簡単に行えるのである。
【発明を実施するための最良の形態】
【００５１】
次に、上記のように構成した各請求項に係る発明を、図面に示した最良の形態である補助具１０について説明すると、図１には、本発明に係る補助具１０が示してある。
【００５２】
この補助具１０は、例えば、図２の（１）及び（２）に示したように、先端１２と、この先端１２に連続する針部１３と、この針部１３の端部に一体化した本体部１４とからなる複数（本最良形態では図１に示したように５本）の前窩形成針１１と、補助軸１７からなっている。
【００５３】
本最良形態では、第１前窩形成針１１ａ〜第５前窩形成針１１ｅの各針部１３の太さを、
第１前窩形成針１１ａについて；直径０．５ｍｍ
第２前窩形成針１１ｂについて；直径０．７ｍｍ
第３前窩形成針１１ｃについて；直径０．９ｍｍ
第４前窩形成針１１ｄについて；直径１．２ｍｍ
第５前窩形成針１１ｅについて；直径１．４ｍｍ
としてある。これらの針部１３の太さについては、最小が直径０．５ｍｍで、最大が直径１．４ｍｍであれば、自由に変えられるものである。また、本数についても、最大と最小の直径が上記数値に限られるのであれば自由に決定することができ、最小本数は２本となる。
【００５４】
勿論、これらの第１前窩形成針１１ａ等の材料としては金属が好ましく、先端１２が図２の（１）〜（６）のように種々形成できて、海綿骨内に揉み込むことができる剛性が確保できるのであれば、合成樹脂材料で形成してもよいものである。
【００５５】
これらの第１前窩形成針１１ａ〜第５前窩形成針１１ｅは、その各本体部１４を指で摘んで回しながら使用されるものであるから、図２の（１）に示したように、その本体部１４の表面に滑り止め１５を形成して実施する。この滑り止め１５としては、例えばセレーション等のように細かい溝を多数形成して実施したり、ゴム貼りによって形成するようにしてもよい。
【００５６】
また、これらの各第１前窩形成針１１ａ〜第５前窩形成針１１ｅが、図１の下方、及び図３の（１）・（２）に示したような補助軸１７を使用するのであれば、この補助軸１７内に例えば半円状の穴を形成しておいて、この穴内に挿入される各本体部１４に、図２の（２）に示したような回り止め１６を形成し補助軸１７に固定して実施すればよい。この補助軸１７は、図１に示したような直線状のものは勿論、図３の（１）に示したような「クランク状」のものにしたり、図３の（２）に示したような円板状のものにすれば、奥歯のためのインプラント前窩を形成する際の作業を行い易くする。
【００５７】
さらに、この補助具１０を使用する直前には、図１０に示したようなガイド２０を使用するとよい。このガイド２０は、図１０の（１）及び（２）に示したように、これから顎骨にインプラント前窩を形成するための位置を決めるのに役立つ複数のガイド穴２１を形成したものであり、患者に合わせたものとして予め形成される。
【００５８】
以上のように構成した補助具１０を、３４才の男性患者に施術した例を以下に示すと、この患者は重度の歯周病を患っていた。そこで、歯周病の安定化と歯周組織再生を図るとともに、口腔衛生環境や咬合関係の向上を図り、特に左上１番にインプラントの埋入を行おうとした。
【００５９】
ところが、この患者の左上１番は、歯牙を喪失して２０年以上経過したこともあって、歯槽骨吸収は著しく、歯槽頭部から３ｍｍ下方部の骨厚は２．８ｍｍ、６ｍｍ下方では３．２ｍｍと、それぞれインプラント施術に十分な状態とはいえなかった。この患者に、特許文献１や２によるような通常の術式を適用すると、パーホレーション（穿孔）が起こり得ることは確実である。
【００６０】
そこで、本発明に係る補助具１０による施術を試みるべく、患者の口腔内を洗浄し、粘膜、骨膜弁はできるだけ最低限に抑え、それらの侵襲、術中の感染防止に努めた。そして、手指の感覚だけで補助具１０の使用を実施した。まず、図４に示したように、ラウンドバーにて骨頂部コンティカルボーン（皮質骨）に最小の穴（直径０．５ｍｍ）を開ける。次に、図５に示したように、ジッペラーリーマーを用いて海綿骨に規定のインプラント長、このケースでは１３ｍｍに合わせてインストルメントを所定の深さまで揉み込んだ。
【００６１】
そして、図６に示したように、補助具１０の第１前窩形成針１１ａ等を順に使用して、インプラント前窩を順次拡大していった。この際には、もう一方の手指の腹にて頬舌側の粘膜上から挟み込み、その感覚で骨体そのもののエキスパンションを確認する。その後は、図７に示したように、通常のオステオトームにて拡大を行い、図８に示したようにドリル調整を行い、図９に示したように、インプラントの埋入を完了した。
【００６２】
このケースでは、極度に歯槽骨が痩せてしまっており、歯槽頂部付近での骨の厚さが２．８ｍｍ程度しかないのにも拘わらず、頬側部と口蓋部に厚さ約１ｍｍの骨厚を残すことができた。弁を元に戻して、単純縫合２カ所のみで終了した。
【００６３】
本発明に係る補助具１０は、上述してきたように、これを「手揉み」して使用することが基本であるが、この「手揉み」の力に、超音波や圧縮空気を利用して発生させられる「振動」や、「レーザー光」による破壊力を付加して使用すると、なお一層操作性がよくなるものである。
【００６４】
例えば、図１1には、本発明に係る補助具１０に超音波振動を与える振動発生装置３０が示してある。この振動発生装置３０には、超音波発生のための電気的振動あるいは圧縮空気を作り出す機能があり、これらの電気的信号あるいは圧縮空気をホース３２によってハンドピース３３に送り込み、このハンドピース３３によって超音波振動や圧縮空気による振動が作られる。すなわち、この振動発生装置３０は、歯科治療で採用されている「超音波スケーラー」あるいは「エアースケーラー」に似た機能を持ったものである。
【００６５】
この振動発生装置３０については、図１1にも示すように、水タンク３１を付設するとよい。本発明に係る補助具１０は、口腔内で使用するものであり、口腔内の洗浄を行いながら作業するものである。そのため、この水タンク３１内に水または生理的食塩水を貯留しておき、この水タンク３１からの水または生理的食塩水の水滴あるいは霧状物を、上述したホース３２を通して補助具１０の先端部側に送り込むようにするのである。また、この超音波を利用した振動発生装置３０については、そのハンドピース３３内に超音波発生共振棒が内蔵されていることは言うまでもない。
【００６６】
本発明に係る補助具１０を振動発生装置３０のハンドピース３３に取り付けるには、当該補助具１０の上述した本体部１４または周り止め１６を、ハンドピース３３の取付部に適した形状にしておけばよい。勿論、あらゆる形態の振動発生装置３０に対して、本発明に係る補助具１０の着脱が可能になるようにするために、振動発生装置３０のハンドピース３３及び補助具１０とを連結するアダプタを用意しておくことも有効である。
【００６７】
また、この振動発生装置３０としては、振動ではなくレーザー光を補助具１０の先端から発することができるようなものを採用するようにしてもよい。この場合には、補助具１０内にレーザー光を通す穴が必要になるだろうけれども、近年の技術では、補助具１０の直径が「０．５ｍｍ」程度以上あれば可能になっているものである。
【産業上の利用可能性】
【００６８】
以上のように構成した補助具１０は、歯を無くした人が入れ歯を固定するためのインプラント埋入に非常に役立つことは当然として、歯科医療においても多大な貢献をするものと考えられる。
【００６９】
インプラント技術は、非常に優れた技術ではあるが、ある統計によると、現状は歯科医師の約３％しか本格的に利用していないものである。その最大の理由は、「従来の技術」でも述べたように、それまでの術式が熟練を要するものであり、医療事故も多かったからである。
【００７０】
その点、本発明を利用すれば、それ程の熟練は必要ないし、血管や神経、あるいは海綿骨を傷めることも殆どないのであるから、インプラントを諦めていた骨の薄いあるいは細い人に対しても、インプラント埋入技術をより一層普及させることができて、歯科医療に大きく貢献できるものと期待している。
【図面の簡単な説明】
【００７１】
【図１】本発明に係る補助具の平面図である。
【図２】同補助具を構成している各第１前窩形成針の要部を拡大して示したもので、（１）は滑り止めを有するものの平面図、（２）は回り止めを有するものの平面図、（３）〜（６）は先端の形状の例を示す各部分拡大平面図である。
【図３】補助具を支持するための補助軸の他の例を例示するもので、（１）は正面図、（２）は斜視図である。
【図４】粘膜を通して皮質骨に穴を開けている状態の顎骨の部分断面図である。
【図５】皮質骨に穴を開けている状態の顎骨の部分断面図である。
【図６】本発明に係る補助具を使用して皮質骨にインプラント前窩を開けている状態の顎骨の部分断面図である。
【図７】従来技術によってインプラント前窩をインプラント窩にしている状態の顎骨の部分断面図である。
【図８】従来技術によってインプラント窩内を調整している状態の顎骨の部分断面図である。
【図９】従来技術によってインプラント窩にインプラントを埋入した状態の顎骨の部分断面図である。
【図１０】ガイドを示すもので、（１）は顎骨あるいは粘膜上から外した状態を、（２）は顎骨あるいは粘膜上に嵌めた状態の上面図である。
【図１１】本発明の補助具に振動などの力を与える振動発生装置の斜視図である。
【図１２】従来のオステオトームを示す平面図である。
【図１３】特許文献１に記載された骨のみの斜視図である。
【図１４】従来の別のオステオトームを示す拡大平面図である。
【符号の説明】
【００７２】
１０    補助具
１１ａ  第１前窩形成針
１１ｂ  第２前窩形成針
１１ｃ  第３前窩形成針
１１ｄ  第４前窩形成針
１１ｅ  第５前窩形成針
１２    先端
１３    針部
１４    本体部
１５    滑り止め
１６    回り止め
１７    補助軸
２０    ガイド
２１    ガイド穴
３０    振動発生装置
３１    水タンク
３２    ホース
３３    ハンドピース
【図１】
2007313285.tif 000003
【図２】
2007313285.tif 000004
【図３】
2007313285.tif 000005
【図４】
2007313285.tif 000006
【図５】
2007313285.tif 000007
【図６】
2007313285.tif 000008
【図７】
2007313285.tif 000009
【図８】
2007313285.tif 000010
【図９】
2007313285.tif 000011
【図１０】
2007313285.tif 000012
【図１１】
2007313285.tif 000013
【図１２】
2007313285.tif 000014
【図１３】
2007313285.tif 000015
【図１４】
2007313285.tif 000016